(57)【要約】【課題】景品の補充手間が少なく、ディスプレイ性に優れた遊戯装置を実現すること。【解決手段】景品を面状に配列した状態で予め景品カートリッジ１１０に収容しておき、これを景品払出口２０近傍に固定されたステー１０２に着脱自在に支持する。景品カートリッジ１１０の下側には、閂１８０でロックされた蓋部１７０が設けられている。閂１８０は固定テーブル６の端部に装着された拡張オプション３００に載置された錘１９０とヒモ１９２で連結されている。錘１９０が遊技媒体におされて拡張オプション３００から落下すると閂１８０が抜けて蓋部１７０が開く。景品カートリッジ１１０に収容さていた景品は、自重で滑落して放出される。景品が放出されたならば、別の景品カートリッジ１１０に交換するだけですぐに補充ができる。【選択図】図３
0003177639.tif 000002
【実用新案登録請求の範囲】
【請求項１】
遊技媒体の移動に伴って景品を払い出す遊戯装置であって、
下端開口部を塞ぐ第１蓋部と、景品収容室内を区画するための着脱自在な区画部とを有する景品カートリッジ部と、
前記遊戯装置に固定され、前記第１蓋部を下方へ向ける姿勢で前記景品カートリッジ部を着脱自在に支持する支持部と、
前記遊技媒体の移動に伴って可動して前記第１蓋部を開ける開蓋作動部と、を備え、
前記開蓋作動部による前記第１蓋部の開蓋作動によって、前記景品カートリッジ部に収容されていた景品を自重で滑落排出させて払い出す遊戯装置。
【請求項２】
前記景品カートリッジ部は、前記区画部が底面方向に落下することを防ぐための落下防止部を有する、
請求項１に記載の遊戯装置。
【請求項３】
前記区画部は、前記景品収容室内に着脱自在であり、前記景品収容室の室内空間を奥行き方向に狭め、複数の景品を前記正面寄りに配列可能とさせる構造を有する
請求項１又は２に記載の遊戯装置。
【請求項４】
前記景品カートリッジ部は、前記下端開口部を部分的に開閉可能な前記第１蓋部を複数有するとともに、前記景品収容室を、前記複数の第１蓋部それぞれに対応するサブ収容室に区画する区画部を有する
請求項１〜３の何れか一項に記載の遊戯装置。
【請求項５】
前記景品カートリッジ部は、前記カートリッジ部の正面開口部を塞ぐ第２蓋部を有する、
請求項１〜４の何れか一項に記載の遊戯装置。
【請求項６】
前記景品カートリッジ部は、前記正面開口部の面積が前記下端開口部の面積より大きく構成されている、
請求項５に記載の遊戯装置。
【請求項７】
遊技媒体の移動に伴って景品を払い出す遊戯装置であって、
下端開口部を塞ぐ第１蓋部と、当該第１蓋部を閉じた状態でロックするロック手段とを有し、正面の全部又は一部が内部の景品収容室を視認可能な透明部材でなる景品カートリッジ部と、
前記遊戯装置に固定され、前記正面を前側とし、前記第１蓋部を下方へ向ける姿勢で前記景品カートリッジ部を着脱自在に支持する支持部と、
前記遊技媒体の移動に伴って可動して前記ロック手段のロックを解除することで前記第１蓋部を開ける開蓋作動部と、
を備え、
前記支持部は、
前記景品カートリッジ部の左右側部を支持するためのステーと、
前記ステーに設けられ、前記景品カートリッジ部を上方から嵌め込み可能であり、嵌め込まれた前記景品カートリッジ部を上方へ取り外し可能な嵌合部と、
前記嵌合部に嵌め込まれた前記景品カートリッジ部を、前記正面を斜め上方に向けた状態で支えるための背もたれ部と、
を有する、
遊戯装置。
【考案の詳細な説明】
【技術分野】
【０００１】
本考案は、遊技媒体の移動に伴って景品を払い出す遊戯装置に設けられる景品収容装置を備えた遊戯装置に関する。
【背景技術】
【０００２】
遊技媒体の移動に伴って景品を払い出す遊戯装置の一つとして、プッシャー型景品払出ゲーム装置がある。プッシャー型景品払出ゲーム装置は、景品を兼ねる遊技媒体をプレーヤの操作で作動するショベル等で運んで固定テーブル及びその上面に沿って往復スライド移動するスライドテーブル（プッシャーテーブル）上に載置させて遊ぶ。固定テーブル上に次々に遊技媒体を載せると、やがてそれらの遊技媒体がスライドテーブルの往復に伴って玉突き状に押されて移動し、やがて載せられた先から固定テーブルより押し落とされる。そして、落下した景品兼遊技媒体が上手く所定の景品払出口に入ればそれらはプレーヤに払い出される。プッシャー型景品払出ゲーム装置は、極めて簡単な操作且つ簡単なゲームルールでそれなりに景品を取る事ができることから特に女性や子供に人気である。
【０００３】
近年では、すくい上げられる景品兼遊技媒体とは別に特別な景品を収容した景品収容装置を設け、固定テーブル上で移動される遊技媒体との係合で作動させてそれら特別な景品を払い出すものが広く普及するようになった（例えば、特許文献１を参照）。これらは、上手くすれば大量に景品を得られる仕組みであり、プレーヤへの訴求力が高く遊戯装置の稼働率を高める上では重要な要素となっている。
【先行技術文献】
【特許文献】
【０００４】
【特許文献１】特開２００７−２１５６６６号公報
【考案の概要】
【考案が解決しようとする課題】
【０００５】
その一方で、景品収容装置が一度作動すると当然のことながら次回の使用に備えて景品を補充する必要があり、景品収容装置の設置はゲーム装置の稼動を一時的に停止させる要因ともなる。しかも、より魅力を高めるべく景品収容装置に多数の景品を補充する場合には、ゲーム装置の停止時間が長くなりやすかった。
また近年では、より訴求力を高めるべく行われる現場運営テクニックとして、景品収容装置に景品を補充する際に、例えば箱入り菓子を積み木のように積み上げると言った具合に景品の見せ方（ディスプレイ）の工夫も行われるため、景品収容装置への景品補充自体がせっかく景品収容装置によって高めた稼働率を下げる要因ともなりかねなくなっている。
【０００６】
本考案は、こうした実情を鑑みてなされたものであり、その目的とするところは景品の補充手間が少なく、且つディスプレイ性に優れた遊戯装置を実現することである。
【課題を解決するための手段】
【０００７】
上記の課題を解決する第１の考案は、遊技媒体の移動に伴って景品を払い出す遊戯装置（例えば、図１のプッシャー型景品払出ゲーム装置２）に設けられる景品収容装置であって、底部が開閉自在な蓋部でなる景品カートリッジ部（例えば、図２の景品カートリッジ１１０）と、前記遊戯装置に固定され、前記蓋部を下方へ向ける姿勢で前記景品カートリッジ部を着脱自在に支持する支持部（例えば、図２のステー１０２）と、前記遊技媒体の移動に伴って可動して前記蓋部を開ける開蓋作動部（例えば、図２の錘１９０、ヒモ１９２、金具１９４、ケース１７４、スプリング１７８、閂１８０）と、を備え、前記開蓋作動部による前記蓋部の開蓋作動によって、前記景品カートリッジ部に収容されていた景品を自重で滑落排出させて払い出す景品収容装置である。
【０００８】
第１の考案によれば、特別な景品を予め趣向を凝らした配列で景品カートリッジ部に収容しておくことができ、しかも稼働中の遊戯装置とは別の場所で景品を景品カートリッジ部に収容できるため、限られた補充時間に景品のディスプレイを製作するのに比べて、そのディスプレイのクオリティを高めることができる。そして、景品が払い出されたら次の景品カートリッジ部を支持部に装着するだけで簡単に景品の補充が完了するため、景品補充に掛かる手間を大幅に削減できる。
【０００９】
第２の考案は、前記景品カートリッジ部が、正面の全部又は一部が内部の景品収容室を視認可能な透明部材でなり、前記支持部が、前記正面を前側として前記景品カートリッジ部を支持する第１の考案の景品収容装置である。
【００１０】
第２の考案によれば、第１の考案と同様の効果を奏するとともに、景品カートリッジ部の中をプレーヤに見せることができるので更にディスプレイ性が向上する。
【００１１】
第３の考案は、前記景品カートリッジ部が、同型の景品が面状に配列された景品セットを、前記正面寄りに配列して収容する第２の考案の景品収容装置である。
【００１２】
第３の考案によれば、第２の考案と同様の効果を奏するとともに、同型の景品で包装の色違いなどを利用して従来に無いドット絵の様なディスプレイや、模様のディスプレイを実現できる。こうしたディスプレイは、補充時にその場で製作するには過度な時間がかかるし予め準備しておくにはバラバラになり易く保管性に難があるが、景品カートリッジ部を用いることでそうした問題が一挙に解決される。
【００１３】
第４の考案は、前記景品カートリッジ部が、前記景品収容室の室内空間を奥行き方向に狭め、複数の景品を前記正面寄りに配列可能とさせるための区画部（例えば、図６の仕切り１３０）を前記景品収容室内に着脱自在に有する第２又は第３の考案の景品収容装置である。
【００１４】
また、第５の考案は、遊技媒体の移動に伴って景品を払い出す遊戯装置に設けられる景品収容装置であって、底部が開閉自在な蓋部でなる景品カートリッジ部と、前記景品収容室内に着脱自在に装着されて前記景品収容室の室内空間を奥行き方向に狭め、複数の景品を前記正面寄りに配列可能とさせるための区画部と、前記遊戯装置に固定され、前記蓋部を下方へ向ける姿勢で前記景品カートリッジ部を支持する支持部と、前記遊技媒体の移動に伴って可動して前記蓋部を開ける開蓋作動部と、を備え、前記開蓋作動部による前記蓋部の開蓋作動によって、前記景品カートリッジ部に収容されていた景品を自重で滑落排出させて払い出す景品収容装置である。
【００１５】
第４及び第５の考案によれば、景品収容室の室内空間に対して収容する景品が小さい場合でも、収容空間を区画部によって適切な大きさに調整することができる。よって、単に景品を詰め込むだけの収容形態ではなく、収容する景品を前面寄りに配列させてディスプレイ性を高めることができる。勿論、第４の考案は、第２又は第３の考案と同様の効果を奏することができる。
【００１６】
区画部を別体とせず、前記景品カートリッジ部が、前記景品収容室を奥行き方向に区画する区画部（例えば、図１７の仕切り板１３０Ｂ、仕切り板嵌合溝１２０ｆ）を有する構成としても良く（第６の考案）、その場合には、同様に景品収容室の室内空間に対して収容する景品が小さい場合でも、収容空間を区画部によって適切な大きさに調整することができる。
【００１７】
第７の考案は、前記景品カートリッジ部が、前記底部を部分的に開閉可能な前記蓋部を複数有するとともに、前記景品収容室を、前記複数の蓋部それぞれに対応するサブ収容室に区画する区画部を有する第１〜第３の何れかの考案の景品収容装置である。
【００１８】
第７の考案によれば、第１〜第３の考案の何れかと同様の効果を奏するとともに、収容する景品を複数グループに分けてそれぞれ別に払出することができるので、景品補充の回数とそれに要する手間を軽減できる。
【００１９】
第８の考案は、前記景品カートリッジ部が、景品未収納時に前記景品収容室越しに当該景品カートリッジ部の背後の様子を視認可能な視認窓部（例えば、図６のくり貫き部１２２ａ、図１４の透明アクリル板１２７）を後側面に有する第１〜第７の何れかの考案の景品収容装置である。
【００２０】
第８の考案によれば、第１〜第７の考案の何れかと同様の効果を奏するとともに、景品が払い出された後、景品カートリッジ部越しにその背後の様子を見ることができるので、景品が無くなった状態であってもゲーム操作に支障無く、また見栄えも良くできる。
【００２１】
第９の考案は、前記開蓋作動部が、移動する前記遊技媒体と接触可能に載置される錘部と、当該錘部と前記蓋部とを結ぶ紐部とを有してなる第１〜第８の何れかの考案の景品収容装置である。
【００２２】
第９の考案によれば、第１〜第８の考案の何れかと同様の効果を奏するとともに、作動要件が視覚的に分りやすく、且つ製作が容易となる。
【００２３】
第１０の考案は、第１〜第９の何れかの考案の景品収容装置を備えた遊戯装置である。
第１０の考案によれば、第１〜第９の考案の何れかと同様の効果を発揮する遊戯装置を実現できる。
【図面の簡単な説明】
【００２４】
【図１】プッシャー型景品払出ゲーム装置の斜視外観図。
【図２】景品収容装置の正面図。
【図３】固定テーブルの先端周りを側面から見た部分縦断面図。
【図４】ステーの（ａ）正面図及び（ｂ）Ｂ−Ｂ断面図。
【図５】景品カートリッジの構成例を示す三面図であって、（ａ）正面図、（ｂ）正面向かって右側から見たＣ−Ｃ縦断面図、（ｃ）下面図。
【図６】景品カートリッジの主要部品の分解図であって、（ａ）正面図、（ｂ）正面向かって右側面図。
【図７】蓋部の景品カートリッジの下側側から見た横断面図であって、（ａ）閂が入った状態、（ｂ）閂が抜けた状態を示す図。
【図８】景品カートリッジの縦断面図であって（ａ）蓋部が閉じた状態、（ｂ）蓋部が開いた状態を示す図。
【図９】拡張オプションの構成例を示す図であって、（ａ）上面視取り付け図、（ｂ）Ｅ−Ｅ断面図、（ｃ）取り付け側（後側）から見た背面図。
【図１０】景品セットの構成例を示す図であって、（ａ）正面図、（ｂ）下側面図。
【図１１】景品収容装置の使い方・動作について説明するための図。
【図１２】景品収容装置の使い方・動作について説明するための図。
【図１３】景品収容装置の使い方・動作について説明するための図。
【図１４】景品収容装置の使い方・動作について説明するための図。
【図１５】景品カートリッジの変形例を示す正面図。
【図１６】仕切り板の変形例を示すＦ−Ｆ横断面図。
【図１７】景品カートリッジの側壁に溝を設けて仕切り板を取り付ける変形例を示すＦ−Ｆ断面図。
【考案を実施するための形態】
【００２５】
〔実施形態〕
次に、遊技媒体の移動に伴って景品を払い出す遊戯装置の一つとして、プッシャー型景品払出ゲーム装置を例に挙げ、これに設置される景品収容装置、及び同景品収容装置の設置に伴って固定テーブルに取り付けられる付属品について説明する。
【００２６】
図１は、本実施形態におけるプッシャー型景品払出ゲーム装置２を示す斜視外観図である。また、図２は、本実施形態における景品収容装置１００の構成例を示す正面外観図である。図３は、固定テーブル６の先端周りを側面から見た部分縦断面図であり、景品収容装置１００は図２のＡ−Ａ断面を示している。
尚、図１では景品収容装置１００は一台のみ記しているが、実際には各固定テーブル６に対応してそれぞれ景品収容装置１００が設定される。また、図２及び図３は景品未収納の状態を示している。
【００２７】
図１に示すように、本実施形態におけるプッシャー型景品払出ゲーム装置２は、基本的には公知のプッシャー型景品払出ゲーム装置と同様の構成を有し、上面視十字方向に固定テーブル６とプッシャーテーブル８とが配置され、最大４人が同時にプレイすることのできるレイアウトを有する。
【００２８】
プレーヤが操作台１０の前に立ち、所望するタイミングで操作台１０の上面に設けられた第１ボタンスイッチ１２を操作すると、制御基板５０によって対応する固定テーブル６に隣接された自動ショベル１４が作動を開始する。自動ショベル１４は、その腕を伸ばして固定テーブル６の下に設けられた環状溝部１６の底面に設けられた自動回転テーブル１８に載置された景品兼遊技媒体５をすくい上げて、腕を元に戻して一旦止まる。ここで、プレーヤが第２ボタンスイッチ１３を操作すると、自動ショベル１４はすくい上げている遊戯媒体５を放出する。すなわち、自動ショベル１４は、プレーヤの操作入力に応じて遊技媒体５を固定テーブル６或いはプッシャーテーブル８上に運搬するように自動制御される。
【００２９】
固定テーブル６及びプッシャーテーブル８に次々に遊戯媒体５を載せてゆくと、それらの遊技媒体５はプッシャーテーブル８の景品払出口２０へ向けた自動往復動に伴って次々に玉突き状に押され、やがて固定テーブル６の左右や前端から落下するようになる。固定テーブル６の前端から落下した遊技媒体５は、固定テーブル６の前端直下に開口した景品払出口２０に入り、景品取出口２２に払い出される。
【００３０】
さて、本実施形態のプッシャー型景品払出ゲーム装置２は、特別な景品を収容する景品収容装置１００を備える。
図２及び図３に示すように、景品収容装置１００は、景品払出口２０の左右に渡って固定されたステー１０２で、固定テーブル６の前端上方において景品カートリッジ１１０を着脱自在に支持する。景品カートリッジ１１０は、景品を収容できる厚さを有した平たい箱形の外形を有し、正面（図２で言うところの正面、図３で言うところの左面）をプレーヤに向け、下端開口部１１２（図３参照）を景品払出口２０に向けて斜めに支持され、収容した景品をディスプレイする。
【００３１】
図３に示すように、下端開口部１１２を閉じている蓋部１７０の閂（かんぬき）１８０には、固定テーブル６の前端に装着された付属品である拡張オプション３００に載置された錘１９０に結ばれたヒモ１９２が着脱自在な金具１９４によって繋がれている。錘１９０が固定テーブル６上の遊技媒体の移動に伴って押され拡張オプション３００から落下すると、ヒモ１９２が引かれるのに伴って閂１８０が抜けて蓋部１７０が開き、収容されていた景品が景品払出口２０へ向けて自重で滑落して排出される。
【００３２】
［景品収容装置の構成］
次に、景品収容装置１００の構成について具体的に説明する。
図４は、本実施形態におけるステー１０２の（ａ）正面図及び（ｂ）Ｂ−Ｂ断面図である。ステー１０２は、左右の支柱１０４と、これらを連結する背もたれ板１０６とを備える。
【００３３】
左右の支柱１０４の下端外形寸法Ｌ１は、景品払出口２０の入口内壁の横幅に合わせてあり、支柱１０４の下部のネジ穴１０７にボルト３０（図３参照）を通して景品払出口２０の入口の内側壁に固定される。
また、左右の支柱１０４は、それぞれ長手方向中程で外向きに屈曲又は湾曲され、上端内寸Ｌ２が景品カートリッジ１１０の横幅より大きくなるように設定されている。
また、左右の支柱１０４の上部には背もたれ板１０６が渡されており、背もたれ板１０６の下端よりも下方内側には、上方に切り欠き部１０８ａを備えたＬ字片１０８が互いに向かい合う位置で設けられている。
【００３４】
図５は、本実施形態における景品カートリッジ１１０の構成例を示す三面図であって、（ａ）正面図、（ｂ）正面向かって右側から見たＣ−Ｃ縦断面図、（ｃ）下面図に相当する。図６は、景品カートリッジ１１０の主要部品の分解図であって、（ａ）正面図、（ｂ）正面向かって右側面図に相当する。
【００３５】
景品カートリッジ１１０は、（１）金属板或いは樹脂板で形成された左右の側壁１２０を、視認窓部の機能を果たす中央のくり貫き部１２２ａを有する背面板１２２で連結した断面コの字状の本体ケース１２４と、（２）背面板１２２の下端に蝶番１２３で連結されて下端開口部１１２を開閉自在に塞ぐ蓋部１７０と、（３）正面及び上端開口部を塞ぐ正面カバー１２６とを備える。本体ケース１２４と蓋部１７０と正面カバー１２６で囲まれた直方体空間が特別な景品を収容する景品収容室１２８となる。景品収容室１２８の中には、横断面視コの字状の仕切り１３０が着脱自在に挿入される。
【００３６】
仕切り１３０は、景品カートリッジ１１０の正面と平行な主仕切り板１３０ａの両端に側板１３０ｂが立設されてなる。その左右外寸Ｌ３は景品収容室１２８に軽密着する程度又は僅かに小さくなるように設定されている。本実施形態では、仕切り１３０によって、景品収容室１２８の室内空間を奥行き方向に狭めて景品収容室１２８ａとし、複数の景品を正面寄りに配列可能とさせる。
このように、仕切り１３０によって景品カートリッジ１１０の内空間を正面より向かって奥行き方向に厚さの異なる２つの景品収容室１２８（１２８ａ、１２８ｂ）を画成しているが、透明アクリルなど光透過性材で成形されているので、正面側・背面側の何れの景品収容室１２８（１２８ａ、１２８ｂ）についても、外から内を視認できるようになっている。
【００３７】
尚、仕切り１３０は、側板１３０ｂを背面側に向けた姿勢に限らず、正面側に向けて挿入して使用することもできる。この場合、景品収容室１２８は区画されずに一体として使用可能となり、主仕切り板１３０ａは、背面板１２２のくり貫き部１２２ａを閉じて収容される景品が背面側に落ちないように作用する。
【００３８】
左右両方の側壁１２０の下端外側面には、支柱１０４のＬ字片１０８の切り欠き部１０８ａと嵌合する嵌合突起１２０ａが突設されている。この嵌合突起１２０ａがステー１０２のＬ字片１０８と係合し、嵌合突起１２０ａを支点にして景品カートリッジ１１０が背面でステー１０２の背もたれ板１０６に当接して寄り掛かることで、景品カートリッジ１１０がステー１０２に支持・固定される。
【００３９】
また、正面向かって左側の側壁１２０の下端には、蓋部１７０の閂１８０の先端が挿入される閂孔１２０ｂが穿設されている。
また、左右両方の側壁１２０の内側面下端、閂孔１２０ｂよりも上方側には、内向きに仕切り支持突起１２０ｃが突設されている。この仕切り支持突起１２０ｃに、景品収容室１２８に挿入された仕切り１３０の側板１３０ｂの下端が当接することで、景品カートリッジ１１０がステー１０２に取り付けられた時に仕切り１３０が落下するのを防止する。
【００４０】
また、左右両方の側壁１２０の内側壁には、上端から下端にかけて正面カバー１２６が嵌合可能な正面カバー嵌合溝１２０ｄを備える。正面カバー１２６は、その左右両端を正面カバー嵌合溝１２０ｄ内に嵌合させるようにして差し込むことで、側壁１２０に係合される。
【００４１】
正面カバー１２６は、透明アクリルなどの透明材料で形成されており、その上端背面側には先端が下方に屈曲したストッパー片１２６ａが延設されている。ストッパー片１２６ａの先端は更に内向きの突部１２６ｂを形成する（図６参照）。
この突部１２６ｂは、正面カバー１２６を正面カバー嵌合溝１２０ｄにスライド嵌合させて最後まで押し込むと、本体ケース１２４の背面、背面板１２２の上部に設けられた嵌合溝１２２ｂに嵌合して、正面カバー１２６が容易に抜けないようにストッパーとして機能する。
【００４２】
図７は、本実施形態における蓋部１７０の景品カートリッジ１１０の下側面側から見た横断面図（図５のＤ−Ｄ断面）であって、（ａ）閂１８０が入った状態、（ｂ）閂１８０が抜けた状態を示している。
【００４３】
図６及び図７に示すように、蓋部１７０は、本体ケース１２４の下端開口部１１２を覆う底板１７２と、閂１８０と、閂１８０のホルダ１７４と、閂１８０のガイド孔を有するガイド片１７６と、閂１８０を抜き方向に付勢するスプリング１７８とを備える。
【００４４】
閂１８０は、本体ロッド１８２と、その右部にて直角に延設されたロック片１８４と、右端の挿通孔１８６とを備える。
【００４５】
ホルダ１７４は、板金等によって形成された左右に長い箱体であり、長手方向が底板１７２の左右方向に合わせて設けられている。ホルダ１７４の（景品カートリッジ１１０の正面向かって）左側壁には閂１８０の本体ロッド１８２をガイドするガイド孔１７４ａを備え、右側壁は閂１８０を抜き方向（図６及び図７で言うところの右方向）に付勢するスプリング１７８の右端を係止する係止片１７４ｂでなる。
【００４６】
また、ホルダ１７４の正面側側壁（図７では奥側壁）から下側側壁（図７では上側壁；開口部１１２の開口方向の側壁）に渡って、Ｌ字状のロック片ガイド溝１７４ｃが設けられている。同ガイド溝の一辺は閂１８０の軸方向に沿って左右に設けられ、他辺は軸に直角方向を向いている。
よって、閂１８０は、左端をガイド片１７６とホルダ１７４のガイド孔１７４ａに挿通されるとともにロック片１８４をロック片ガイド溝１７４ｃに挿入され、右端にスプリング１７８の左端が係合されることによって、抜き方向に付勢された状態で軸方向にスライド自在、且つ軸周りに９０度回転自在に支持されている。
【００４７】
図８は、景品カートリッジ１１０の縦断面図であって（ａ）蓋部１７０が閉じた状態、（ｂ）蓋部１７０が開いた状態を示している。
図６、図７（ａ）及び図８（ａ）に示すように、蓋部１７０を閉じた状態で維持するには、ロック片１８４をロック片ガイド溝１７４ｃの左右方向の溝に沿って引きながら閂１８０を左方にスライドさせてその先端を閂孔１２０ｂに差し込む。そして、その状態でロック片１８４をロック片ガイド溝１７４ｃの閂１８０の軸に対して直角向きの溝に挿入するようにして閂１８０を軸周りに回転させる。閂１８０はスプリング１７８によって抜き方向に付勢されているが、ロック片１８４がロック片ガイド溝１７４ｃの直角向きの溝に係止されることで閂が掛かった状態が維持される。
【００４８】
反対に、この状態からロック片１８４が閂１８０の軸周り下側に向けて回転すると、ロック片１８４はロック片ガイド溝１７４ｃの左右方向の溝の位置に移動する。すると、図７（ｂ）に示すように、スプリング１７８の付勢力で閂１８０は引き抜かれ、図８（ｂ）に示すように、蓋部１７０が自重で蝶番１２３を軸に揺動して開く。
【００４９】
そして、本実施形態ではロック片１８４の先端には、錘１９０から連繋するヒモ１９２の係合金具１９４が結ばれる。錘１９０が落下するとヒモ１９２が引かれてロック片１８４を回転させて蓋部１７０を開けるように作動させることができる。つまり、錘１９０が落ちることによるヒモ１９２及び係止金具１９４の作動が蓋部１７０の開蓋作動部として機能する。
開蓋作動部をこうした構成とすることで、プレーヤに、どうすれば蓋部１７０が開くかが一目りょう然となる。また、製造コストの低減にも寄与する。
【００５０】
本実施形態では、錘１９０は、固定テーブル６の端部に装着される拡張オプション３００に載せられる。
図９は、本実施形態における拡張オプション３００の構成例を示す図であって、（ａ）上面視取り付け図、（ｂ）Ｅ−Ｅ断面図、（ｃ）取り付け側（後側）から見た背面図である。
同図に示すように、拡張オプション３００は、上面視、前端先細りな形状を有する拡張テーブル部３０２と、その後端に設けられた固定テーブル６に固定させるためのクリップ３０４とを備える。
【００５１】
拡張テーブル３０２は、錘１９０を一つは載せられるが二つ載せるのは難しい程度の面積の上側面を有する。また、その横幅（同図で言うところの上下の幅）は、固定テーブル６の前端に複数の拡張オプション３００が装着できる程度の大きさに設定されている。つまり、錘１９０がちょっと押されると落ちそうな場所に載っているように見せることができる。
【００５２】
クリップ３０４は、断面Ｕ字状に板金等を曲げて形成され、拡張テーブル部３０２の後端に、開口部を上向きにしてビス３０６によって固定されている。クリップ３０４の開口部幅は固定テーブル６の外縁の幅よりも小さく設定されており、固定テーブル６の外縁を開口部内へ押し込むと弾性でこれを挟持することができる。
【００５３】
また、クリップ３０４の外側上端は屈曲されてストッパー３０８を形成する。拡張オプション３００を固定テーブル６に装着するとき、このストッパー３０８が固定テーブル６の内面（天板の裏面）に当接して位置決めをする。ストッパー３０８で位置決めされると、拡張テーブル３０２の上側は固定テーブル６の上側と同じ高さ或いは僅かに下になる。
このことによって、拡張オプション３００が固定テーブル６からテーブル面の延長方向に突設し、付属的に設けられた状態であることをより印象付け、また載置される錘１９０がより落ちやすいように見せる視覚的効果を生む。また、固定テーブル６上を移動する遊技媒体５が固定テーブル６と拡張オプション３００との間の結合部で引っかかることなくスムーズに拡張オプション３００に移動できる効果も生む。
【００５４】
図１０は、本実施形態において景品カートリッジ１１０に収容される景品セット４００の構成例を示す図であって、（ａ）正面図、（ｂ）下側面図に相当する。
本実施形態では、景品収容室１２８ａには同型で包装色違いの景品４０２が多数、面状に配列して収容される。景品セット４００は、その景品４０２が予め景品収容室１２８ａのサイズに組み合わされたパッケージであり、プッシャー型景品払出ゲーム装置２のメーカなどから販売される。
【００５５】
本実施形態における景品セット４００は、景品４０２を縦横のマトリクス状に配置するとともに、包装色の違いを利用してドット絵を描くようにして紙トレー４０４の上に配列し、それらを透明セロファン包装４０６で一体に包んでパッケージ化されている。景品４０２の配列の仕方は、同図に示すようなスマイルマークのドット絵に限らず、記号や文字、キャラクタでも良い。また、モザイクや市松模様などのテキスタイルパターンでも良い。また、景品４０２の配列数も同図の例に限らず、例えば景品４０２が縦長で横方向にのみ配列可能な場合には、カラフルな縦縞模様などとすることもできる。
【００５６】
景品セット４００を景品カートリッジ１１０にセットする際、包装が解かれずにそのまま景品カートリッジ１１０の景品収容室１２８ａに収容するとしても良いが、予め包装を解いておくと景品４０２の排出時にばらばら落下する態様をとるので、見た目が派手であり好ましい。
【００５７】
透明セロファン包装４０６は、景品４０２のドット絵の下側に開封用のヒモ４０８を内在しており、これを引く事で容易に包装の下端を外すことができるようになっているので、プッシャー型景品払出ゲーム装置２の管理者は、透明セロファン包装４０６の下側のみ開封して紙トレー４０４を傾けて滑り落とす要領で、景品４０２の配置を崩すことなく容易に景品収容室１２８へ配置・補充することができる。
【００５８】
［動作の説明］
次に、図１１〜図１３を参照して、本実施形態における景品収容装置１００の使い方・動作について説明する。
使用に当たっては、先ずステー１０２を予めプッシャー型景品払出ゲーム装置２に取り付けておき、拡張オプション３００を固定テーブル６の前端に装着しておく。また、同装置の管理者は予め景品セット４００（又はそれを開封したバラの景品４０２）を補充した複数の景品カートリッジ１１０と、ヒモ１９２及び金具１９４が繋がれた錘１９０とを用意しておくものとする。尚、ここでは景品４０２をバラで収容するものとして図示するが、景品セット４００を、包装を解かずに収容しても良いのは勿論である。また、景品収容室１２８ａに補充される景品セット４００を複数とすることもできる。
【００５９】
景品カートリッジ１１０を装着するには、図１１に示すように、景品カートリッジ１１０の蓋部１７０を下向きにして、左右の係合突起１２０ａをステー１０２のＬ字片１０８の切り欠き部１０８ａに嵌め込む。そして、係合突起１２０ａを支点にして、景品カートリッジ１１０の背面を背もたれ板１０６に寄り掛からせる。
【００６０】
次に、図１２に示すように、錘１９０を拡張オプション３００の拡張テーブル３０２に載置して、金具１９４を景品カートリッジ１１０の閂１８０のロック片１８４に掛けて固定する。これで、ゲーム可能な状態となる。
【００６１】
ゲームが進行して、やがて固定テーブル６に載置された景品兼遊技媒体５が錘１９０を押し、錘１９０が拡張オプション３００から落下すると、図１３に示すように、ヒモ１９２が引かれることで、ロック片１８４が軸周りに回される。すると、ロック片１８４がＬ字状のロック片ガイド溝１７４ｃの軸方向沿いの溝に移動して、スプリング１７８によって閂１８０の軸方向右側に移動し、閂１８０が抜かれる。
スプリング１７８によって閂１８０が抜かれると、蓋部１７０が自重で蝶番１２３を支点に揺動して蓋が開き、景品収容室１２８に収容されていた景品４０２が自重で滑落して排出され、直下に開口する景品払出口２０へ入る。
【００６２】
景品カートリッジ１１０から景品が払い出されてしまったならば、管理者は金具１９４を外して別の景品カートリッジ１１０に交換すれば良く、すぐにゲームを再開することができる。尚、別の景品カートリッジ１１０に別の金具１９４、ヒモ１９２及び錘１９０が接続されて予め用意されている場合には、金具１９４の取り外し・取り付け作業を行う必要もなく、別の景品カートリッジ１１０を交換すれば済む。或いは、別の景品カートリッジ１１０の用意が無くとも、一旦景品カートリッジ１１０を外して景品セット４００を補充するだけで、ディスプレイに凝った景品配列ですぐさまゲームを再開することができる。
【００６３】
また、仮に景品カートリッジ１１０の交換が遅れたとして、景品カートリッジ１１０の背面板１２２は中央がくり貫かれているので、同カートリッジ越しに固定テーブル６やプッシャーテーブル８の様子を見る事ができるので、ゲームプレイの継続に支障が無い。
【００６４】
〔変形例〕
以上、本考案を適用した実施形態について説明したが、本考案の適用形態がこれに限定されるものではなく、本考案の趣旨を逸脱しない限りにおいて適宜構成要素の変更・追加・省略をすることができる。
【００６５】
例えば、景品収容室１２８は、景品カートリッジ１１０の正面側の景品収容室１２８ａに限らず、例えば図１４に示すように、背面側の景品収容室１２８ｂを用いるとしても良い。背面側の景品収容室１２８ｂは、正面側の景品収容室１２８ａに比べて奥行き方向に厚みがあるので、比較的厚さのある景品４０４を利用する場合に好適である。この場合、背面板１２２のくり貫き部１２２ａに透明アクリル板１２７などを嵌め込んでおいて、背面側に景品４０４が落ちないようにするとより好適である。
【００６６】
また、景品カートリッジ１１０の蓋部１７０の数は一つに限らず、例えば図１５に示すように、中央から左右それぞれに蓋部１７０Ｒ，１７０Ｌを設ける構成としても良い。その場合、例えば図１６に示すように、景品収容室１２８も中央から左右に分割されるように、仕切り１３０に中央仕切り１３０ｃを追加して立設すると好適である。
また、左右それぞれに蓋部１７０Ｒ，１７０Ｌを設ける構成では、各蓋に対応して錘１９０も二つ用意すると良い。その場合、錘１９０を載せる拡張オプション３００も二つ用意するとしても良い。
【００６７】
また、上述した実施形態における仕切り１３０は、１種類に限らず側板１３０ｂの高さ違いを複数種類用意しておいて、収容する景品の厚さに応じて選択・使用するとしても良い。
【００６８】
また、景品収容室１２８の区画手段を景品カートリッジ１１０に一体に設けることもできる。例えば、図１７に示すように、本体ケース１２４の側壁１２０に正面カバー嵌合溝１２０ｄと同様の仕切り板嵌合溝１２０ｆを奥行き方向に複数段設け、仕切り板１３０Ｂを適当な嵌合溝に嵌合させて景品の厚みに有った位置で景品収容室１２８を区切る構成としても良い。
【００６９】
また、上記実施形態では景品を景品収容室１２８内に収容する構成となっているが、景品の大きさによってはその一部が突出した状態となっても構わない。例えば棒状の景品の場合、ストッパー片１２６ａと突部１２６ｂを省略した仕様の正面カバー１２６を用意し景品収容室１２８の上部を開口させて棒状景品の上端を突出した状態で収容すると好適である。
【符号の説明】
【００７０】
２  プッシャー型景品払出ゲーム装置
５  遊技媒体（兼景品）
６  固定テーブル
８  プッシャーテーブル
１４  自動ショベル
１６  環状溝
２０  景品払出口
２２  景品取出口
２６  ステッピングモータ
５０  制御基板
１００  景品収容装置
１０２  ステー
１０８  Ｌ字片
１１０  景品カートリッジ
１１２  下端開口部
１２０  側壁
１２０ａ  嵌合突起
１２０ｂ  閂孔
１２０ｃ  仕切り支持突起
１２６  正面カバー
１２８  景品収容室
１３０  仕切り
１７０  蓋部
１７４  ケース
１７４ｃ  ロック片ガイド溝
１７８  スプリング
１８０  閂
１８４  ロック片
１９０  錘
１９２  ヒモ
３００  拡張オプション
３０２  拡張テーブル
３０４  クリップ
３０８  ストッパー
【図１】
0003177639.tif 000003
【図２】
0003177639.tif 000004
【図３】
0003177639.tif 000005
【図４】
0003177639.tif 000006
【図５】
0003177639.tif 000007
【図６】
0003177639.tif 000008
【図７】
0003177639.tif 000009
【図８】
0003177639.tif 000010
【図９】
0003177639.tif 000011
【図１０】
0003177639.tif 000012
【図１１】
0003177639.tif 000013
【図１２】
0003177639.tif 000014
【図１３】
0003177639.tif 000015
【図１４】
0003177639.tif 000016
【図１５】
0003177639.tif 000017
【図１６】
0003177639.tif 000018
【図１７】
0003177639.tif 000019